(57)【要約】  【課題】  過度の確認要求なく誤動作を低減することができ且つユーザが状態を把握することができない判断基準で確認要求の要否を切り替えることのない遠隔操作装置を提供する。  【解決手段】  音声データＤ１から推定した操作情報Ｄ２を出力する音声認識部２と、操作情報Ｄ２に応じた処理の実行可否についての確認を外部に要求し、前記確認により処理の実行が認められなかった場合には処理の実行を阻止する確認部３と、キーデータと操作内容を示す操作情報との対応関係を管理し、入力キーデータＤ４に応じた操作情報Ｄ５を出力するキー割当管理部６と、音声認識部２又はキー割当管理部６からの操作情報に応じた制御信号Ｄ３を出力する制御信号出力部４と、キー割当管理部６で管理される前記キーデータと操作情報との対応関係のデータＤ６を参照して、確認部３における確認の要否を判定する確認要否判定部７とを備える遠隔操作装置。【選択図】      図１
2006227135.tif 000002
【特許請求の範囲】
【請求項１】
入力データを分析して、入力データから推定される操作内容を示す操作情報を出力する操作推定手段と、
前記操作推定手段から出力される操作情報に応じた処理の実行可否についての確認を外部に要求し、前記確認により処理の実行が認められなかった場合には処理の実行を阻止する確認手段と、
キーデータと操作内容を示す操作情報との対応関係を管理し、入力キーデータに応じた操作情報を出力するキー割当管理手段と、
前記操作推定手段または前記キー割当管理手段から出力される操作情報に応じた制御信号を出力する制御信号出力手段と、
前記キー割当管理手段で管理される前記キーデータと操作情報との対応関係を参照して、前記確認手段における確認の要否を判定する確認要否判定手段とを備えることを特徴とする遠隔操作装置。
【請求項２】
前記入力データが音声データであって、
前記操作推定手段が前記音声データを音声認識することによって操作情報を推定する請求項１に記載の遠隔操作装置。
【請求項３】
前記確認要否判定手段が、前記操作推定手段から出力される操作情報が前記キーデータと関連付けられている操作情報に該当する場合には確認が不要と判定し、前記操作推定手段から出力される操作情報が前記キーデータと関連付けられている操作情報に該当しない場合には確認が必要と判定する請求項１又は請求項２に記載の遠隔操作装置。
【請求項４】
前記キー割当管理手段が、前記キーデータと操作情報との対応関係に加えて、前記キーデータ及び前記キーデータに対応する操作情報と操作情報の確認要否を決定する情報との対応関係を更に管理し、
前記確認要否判定手段が、前記キー割当管理手段で管理される前記キーデータと操作情報との対応関係に加えて、前記キーデータ及び前記キーデータに対応する操作情報と操作情報の確認要否を決定する情報との対応関係を参照して、前記操作推定手段から出力される操作情報が前記キーデータと関連付けられている操作情報に該当する場合であっても確認が必要である操作情報に該当する場合には確認が必要と判定する請求項３に記載の遠隔操作装置。
【請求項５】
複数の入力キーを有し、キー操作に応じたキーデータを前記キー割当管理手段に出力する入力キー部を備え、
前記複数の入力キーの配置に関して、前記キー割当管理手段による管理において確認が必要である操作情報と関連付けられているキーデータを出力する入力キーが、前記キー割当管理手段による管理において確認が不要である操作情報と関連付けられているキーデータを出力する入力キーから離れた位置にある請求項４に記載の遠隔操作装置。
【請求項６】
複数の入力キーを有し、キー操作に応じたキーデータを前記キー割当管理手段に出力する入力キー部を備え、
前記複数の入力キーの配色に関して、前記キー割当管理手段による管理において確認が必要である操作情報と関連付けられているキーデータを出力する入力キーのキー部分及び／又はキー周囲と、前記キー割当管理手段による管理において確認が不要である操作情報と関連付けられているキーデータを出力する入力キーのキー部分及び／又はキー周囲とが互いに異なる色である請求項４に記載の遠隔操作装置。
【請求項７】
前記確認手段が音声出力部を有し、
前記操作推定手段から出力される操作情報に応じた処理の実行可否についての確認を外部に要求する際に、前記操作推定手段から出力される操作情報又は前記操作推定手段から出力される操作情報に関する情報を前記音声出力部が音声により出力する請求項１〜６のいずれかに記載の遠隔操作装置。
【請求項８】
表示手段を備え、
前記操作推定手段から出力される操作情報に応じた処理の実行可否についての確認を外部に要求する際に、前記操作推定手段から出力される操作情報又は前記操作推定手段から出力される操作情報に関する情報を前記確認手段が前記表示手段に表示させる請求項１〜６のいずれかに記載の遠隔操作装置。
【請求項９】
前記キー割当管理手段が、前記キーデータと操作内容を示す操作情報との対応関係を複数管理し、複数の前記キーデータと操作内容を示す操作情報との対応関係の中から一つを有効とし、有効とする前記キーデータと操作内容を示す操作情報との対応関係を切り替えることができる請求項１〜８のいずれかに記載の遠隔操作装置。
【請求項１０】
入力データを分析して、入力データから推定される操作内容を示す操作情報を得る操作推定ステップと、
前記操作推定ステップによって得られた操作情報に応じた処理の実行可否についての確認を要求し、前記確認により処理の実行が認められなかった場合には処理の実行を阻止する確認ステップと、
キーデータと操作内容を示す操作情報との対応関係を管理し、入力キーデータに応じた操作情報を得るキー割当管理ステップと、
前記操作推定ステップまたは前記キー割当管理ステップで得られた操作情報に応じた制御信号を出力する制御信号出力ステップと、
前記キー割当管理ステップで管理される前記キーデータと操作情報との対応関係を参照して、前記確認ステップにおける確認の要否を判定する確認要否判定ステップとを含む遠隔操作方法。
【請求項１１】
コンピュータを、
入力データを分析して、入力データから推定される操作内容を示す操作情報を出力する操作推定手段、
前記操作推定手段から出力される操作情報に応じた処理の実行可否についての確認を外部に要求し、前記確認により処理の実行が認められなかった場合には処理の実行を阻止する確認手段、
キーデータと操作内容を示す操作情報との対応関係を管理し、入力キーデータに応じた操作情報を出力するキー割当管理手段、
前記操作推定手段または前記キー割当管理手段から出力される操作情報に応じた信号を生成する信号生成手段、及び
前記キー割当管理手段で管理される前記キーデータと操作情報との対応関係を参照して、前記確認手段における確認の要否を判定する確認要否判定手段として機能させるための遠隔操作プログラム。
【発明の詳細な説明】
【技術分野】
【０００１】
本発明は、遠隔操作装置、遠隔操作方法、及び遠隔操作プログラムに関し、特に、テレビやビデオなどの各種電子機器を離れた場所から操作する際に用いられる遠隔操作装置、遠隔操作方法、及び遠隔操作プログラムに関する。
【背景技術】
【０００２】
遠隔操作装置の代表例として、テレビやビデオなどの各種電子機器に付属する赤外線リモートコントロール（以下、リモコンという）送信装置がある。従来の赤外線リモコン送信装置は、キー入力に応じた制御信号を出力するので、ユーザにとって直感的に分かりやすい遠隔操作装置である。
【０００３】
しかしながら、近年のテレビやビデオなどの各種電子機器の多機能化や高機能化に伴い、これら機器を遠隔操作する遠隔操作装置の操作も複雑になってきている。例えば、一つの操作または設定を行うために、複数のキー操作を連続して行うなどの必要がある。かかる状況に鑑み、遠隔操作装置の操作を簡易化するために、複数のキーから成る操作部の他に音声入力部を備え、音声による入力も可能な遠隔操作装置（リモコン送信器）が特許文献１において提案されている。
【特許文献１】特開２００３−１１１１６４号公報
【発明の開示】
【発明が解決しようとする課題】
【０００４】
しかしながら、認識率が１００％の音声認識を実現することは困難であるため、特許文献１において提案されている遠隔操作装置（リモコン送信器）は、音声による操作を行った場合、ユーザの意図と異なる制御信号を出力するおそれがあった。すなわち、特許文献１において提案されている遠隔操作装置（リモコン送信器）では、音声操作時に認識誤りによる誤動作が生じた場合、ユーザが予期せぬ機器状態となりユーザが混乱する場合がある。
【０００５】
このような音声認識による認識誤りを補償するために、音声認識結果に基づく制御信号を出力する前に、制御信号の出力可否についてユーザに確認を求め、ユーザから制御信号の出力を行ってよいという指示を受けた場合にのみ制御信号を出力するという構成が、音声認識応用の一般的な観点から容易に考えられる。しかしながら、かかる構成を採用して、あらゆる音声入力について、逐一、制御信号の出力可否を確認する場合、ユーザに過度の負担を強いることとなる。すなわち、例えばテレビのチャンネル切り替えなど、誤動作してもユーザがあまり混乱しないような操作内容についても、操作の度に確認する必要が生じ、ユーザに過度の負担がかかる。
【０００６】
また、音声入力時における確認の要否を適応的に切り替えるために、音声認識時の類似度に基づいて、最大類似度を得る認識結果候補が、他の認識結果候補の類似度に比して突出した類似度を有する場合は制御信号の出力可否についてユーザに確認せず、そうでない場合は確認するという構成も、音声認識応用の一般的な観点から容易に考えられる。しかしながら、認識率が１００％の音声認識を実現することが困難であるのと同様に、ユーザの予想に反しない類似度を確実に得ることも困難であるため、かかる構成を採用した場合、ユーザが状態を把握することができない判断基準で確認要求の有無が切り替わることとなる。このため、例えば、誤認識であるにも関わらず突出した類似度を得た結果、ユーザによる確認を行うことなく制御信号を出力し、ユーザが予期せぬ機器状態となりユーザが混乱する場合がある。
【０００７】
本発明は、上記の問題点に鑑み、過度の確認要求なく誤動作を低減することができ且つユーザが状態を把握することができない判断基準で確認要求の要否を切り替えることのない遠隔操作装置、遠隔操作方法、及び遠隔操作プログラムを提供することを目的とする。
【課題を解決するための手段】
【０００８】
上記目的を達成するために本発明に係る遠隔操作装置は、入力データを分析して、入力データから推定される操作内容を示す操作情報を出力する操作推定手段と、前記操作推定手段から出力される操作情報に応じた処理の実行可否についての確認を外部に要求し、前記確認により処理の実行が認められなかった場合には処理の実行を阻止する確認手段と、キーデータと操作内容を示す操作情報との対応関係を管理し、入力キーデータに応じた操作情報を出力するキー割当管理手段と、前記操作推定手段または前記キー割当管理手段から出力される操作情報に応じた制御信号を出力する制御信号出力手段と、前記キー割当管理手段で管理される前記キーデータと操作情報との対応関係を参照して、前記確認手段における確認の要否を判定する確認要否判定手段とを備える構成としている。
【０００９】
このような構成によると、入力キーに対する操作情報（操作内容を示す情報）の割り当て状況に応じて前記入力データによる操作時の確認要求の要否が切り替わるので、過度の確認要求なく誤動作を低減することができる。また、入力キーに対する操作情報（操作内容を示す情報）の割り当て状況はユーザが把握することができるので、ユーザが状態を把握することができないような判断基準で確認要求の要否が切り替わることを防止でき、ユーザの混乱を低減することが可能となる。
【００１０】
また、上記構成の遠隔操作装置において、前記入力データを音声データとし、前記操作推定手段が前記音声データを音声認識することによって操作情報を推定するようにしてもよい。
【００１１】
また、上記各構成の遠隔操作装置において、前記確認要否判定手段が、前記操作推定手段から出力される操作情報が前記キーデータと関連付けられている操作情報に該当する場合には確認が不要と判定し、前記操作推定手段から出力される操作情報が前記キーデータと関連付けられている操作情報に該当しない場合には確認が必要と判定する構成（以下、第１構成という）にしてもよい。
【００１２】
このような構成によると、ユーザが音声などで操作する場合、ユーザが入力キーで直接操作可能な操作以外については、必ずユーザに確認を要求することになり、ユーザの確認なく従来のキー操作で起こり得ない操作結果を引き起こすことがないので、ユーザの混乱を低減することが可能となる。
【００１３】
また、上記第１構成の遠隔操作装置において、前記キー割当管理手段が、前記キーデータと操作情報との対応関係に加えて、前記キーデータ及び前記キーデータに対応する操作情報と操作情報の確認要否を決定する情報との対応関係を更に管理し、前記確認要否判定手段が、前記キー割当管理手段で管理される前記キーデータと操作情報との対応関係に加えて、前記キーデータ及び前記キーデータに対応する操作情報と操作情報の確認要否を決定する情報との対応関係を参照して、前記操作推定手段から出力される操作情報が前記キーデータと関連付けられている操作情報に該当する場合であっても確認が必要である操作情報に該当する場合には確認が必要と判定する構成（以下、第２構成という）にしてもよい。
【００１４】
このような構成によると、ユーザが音声などで操作する場合、ユーザが操作キーで直接操作可能な操作についても、システム設計者またはユーザが誤動作防止を講じるべきであると判断するような操作については、必ずユーザに確認を要求するように設定することが可能となる。
【００１５】
また、上記第２構成の遠隔操作装置において、複数の入力キーを有し、キー操作に応じたキーデータを前記キー割当管理手段に出力する入力キー部を備え、前記複数の入力キーの配置に関して、前記キー割当管理手段による管理において確認が必要である操作情報と関連付けられているキーデータを出力する入力キーが、前記キー割当管理手段による管理において確認が不要である操作情報と関連付けられているキーデータを出力する入力キーから離れた位置にあるようにしてもよい。
【００１６】
このような構成によると、システム設計者またはユーザが誤動作防止を講じるべきであると判断するような操作（例えば電源入切など）に対応する入力キー（重要キー）を他の入力キーから離れた位置に配置するので、前記他の操作キーを入力する際に、ユーザが操作ミスをして前記重要キーを入力する危険を低減することが可能となる。
【００１７】
また、上記第２構成の遠隔操作装置において、複数の入力キーを有し、キー操作に応じたキーデータを前記キー割当管理手段に出力する入力キー部を備え、前記複数の入力キーの配色に関して、前記キー割当管理手段による管理において確認が必要である操作情報と関連付けられているキーデータを出力する入力キーのキー部分及び／又はキー周囲と、前記キー割当管理手段による管理において確認が不要である操作情報と関連付けられているキーデータを出力する入力キーのキー部分及び／又はキー周囲とが互いに異なる色であるようにしてもよい。
【００１８】
このような構成によると、システム設計者またはユーザが誤動作防止を講じるべきであると判断するような操作（例えば電源入切など）に対応する入力キー（重要キー）のキー部分及び／又はキー周囲を他の入力キーのキー部分及び／又はキー周囲と異なる色にしているので、前記他の操作キーを入力する際に、ユーザが操作ミスをして前記重要キーを入力する危険を低減することが可能となる。
【００１９】
また、上記各構成の遠隔操作装置において、前記確認手段が音声出力部を有し、前記操作推定手段から出力される操作情報に応じた処理の実行可否についての確認を外部に要求する際に、前記操作推定手段から出力される操作情報又は前記操作推定手段から出力される操作情報に関する情報を前記音声出力部が音声により出力する構成（以下、第３構成という）にしてもよい。
【００２０】
このような構成によると、ユーザが操作内容を確認する際に遠隔操作装置を注視する必要がないので、遠隔操作装置を注視することができない事情がある場合に便利である。また、液晶ディスプレイなどの表示装置を具備することなく、スピーカーを具備すればよいので、ユーザに操作内容を報知する手段を低コストで実現することができる。
【００２１】
また、上記第３構成を除く上記各構成の遠隔操作装置において、表示手段を備え、前記操作推定手段から出力される操作情報に応じた処理の実行可否についての確認を外部に要求する際に、前記操作推定手段から出力される操作情報又は前記操作推定手段から出力される操作情報に関する情報を前記確認手段が前記表示手段に表示させる構成にしてもよい。
【００２２】
このような構成によると、ユーザが操作内容を確認する際に、テレビ音声などの周囲の雑音環境の影響を受けることなく、ユーザに操作内容を報知することが可能となる。
【００２３】
また、上記各構成の遠隔操作装置において、前記キー割当管理手段が、前記キーデータと操作内容を示す操作情報との対応関係を複数管理し、複数の前記キーデータと操作内容を示す操作情報との対応関係の中から一つを有効とし、有効とする前記キーデータと操作内容を示す操作情報との対応関係を切り替えることができる構成にしてもよい。
【００２４】
このような構成によると、いわゆるマルチリモコンを構成することが可能となる。
【００２５】
また、上記目的を達成するために本発明に係る遠隔操作方法は、入力データを分析して、入力データから推定される操作内容を示す操作情報を得る操作推定ステップと、前記操作推定ステップによって得られた操作情報に応じた処理の実行可否についての確認を要求し、前記確認により処理の実行が認められなかった場合には処理の実行を阻止する確認ステップと、キーデータと操作内容を示す操作情報との対応関係を管理し、入力キーデータに応じた操作情報を得るキー割当管理ステップと、前記操作推定ステップまたは前記キー割当管理ステップで得られた操作情報に応じた制御信号を出力する制御信号出力ステップと、前記キー割当管理ステップで管理される前記キーデータと操作情報との対応関係を参照して、前記確認ステップにおける確認の要否を判定する確認要否判定ステップとを含んでいる。
【００２６】
このような方法によると、入力キーに対する操作情報（操作内容を示す情報）の割り当て状況に応じて前記入力データによる操作時の確認要求の要否が切り替わるので、過度の確認要求なく誤動作を低減することができる。また、入力キーに対する操作情報（操作内容を示す情報）の割り当て状況はユーザが把握することができるので、ユーザが状態を把握することができないような判断基準で確認要求の要否が切り替わることを防止でき、ユーザの混乱を低減することが可能となる。
【００２７】
また、上記目的を達成するために本発明に係る遠隔操作プログラムは、コンピュータを、入力データを分析して、入力データから推定される操作内容を示す操作情報を出力する操作推定手段、前記操作推定手段から出力される操作情報に応じた処理の実行可否についての確認を外部に要求し、前記確認により処理の実行が認められなかった場合には処理の実行を阻止する確認手段、キーデータと操作内容を示す操作情報との対応関係を管理し、入力キーデータに応じた操作情報を出力するキー割当管理手段、前記操作推定手段または前記キー割当管理手段から出力される操作情報に応じた信号を生成する信号生成手段、及び前記キー割当管理手段で管理される前記キーデータと操作情報との対応関係を参照して、前記確認手段における確認の要否を判定する確認要否判定手段として機能させるためのプログラムである。
【００２８】
このようなプログラムによると、過度の確認要求なく誤動作を低減することができ且つユーザが状態を把握することができない判断基準で確認要求の要否を切り替えることのない遠隔操作装置を汎用コンピュータで実現することが可能となる。ただし、前記確認の要求を外部に報知する報知手段（例えば、音声出力部や表示手段など）と前記信号生成手段が生成する信号を制御信号（例えば、赤外線信号）に変換する変換手段が前記コンピュータに内蔵または外付けされる必要がある。
【発明の効果】
【００２９】
本発明によると、過度の確認要求なく誤動作を低減することができ且つユーザが状態を把握することができない判断基準で確認要求の要否を切り替えることのない遠隔操作装置、遠隔操作方法、及び遠隔操作プログラムを実現することができる。
【発明を実施するための最良の形態】
【００３０】
本発明の実施形態について図面を参照して以下に説明する。まず、本発明の第一実施形態について説明する。本発明の第一実施形態に係る遠隔操作装置の概略構成を図１に示す。図１に示す本発明の第一実施形態に係る遠隔操作装置は、音声入力部１と、音声認識部２と、確認部３と、制御信号出力部４と、入力キー部５と、キー割当管理部６と、確認要否判定部７とを備えている。
【００３１】
音声入力部１は、入力された音声を電気信号である音声データＤ１に変換して音声認識部２に出力する。
【００３２】
音声認識部２は、音声入力部１から出力された音声データＤ１を分析して、音声データＤ１中に含まれる操作内容を示す操作情報Ｄ２を推定し、推定した操作情報Ｄ２を確認部３及び確認要否判定部７に出力する。音声データＤ１の分析及び操作内容を示す操作情報Ｄ２の推定を含む一連の音声認識処理は、既存の音声認識技術を用いればよい。
【００３３】
例えば、音声データＤ１がアナログ音声データである場合、音声認識部２が、音声データＤ１をＡ／Ｄ（アナログデジタル）変換し、変換して得たデジタル音声データをＬＰＣ（線形予測）ケプストラムやＭＦＣＣ（メル周波数ケプストラム係数）などの音響特徴量に変換し、変換して得た音響特徴量を、認識対象語彙として予め用意した単語辞書と、予め多種多量の音声データを分析して得た音響特徴量から統計的な手法に基づいて作成された音響モデル（例えば隠れマルコフモデル）とを用いて照合し、最大スコア（類似度）を示す単語を推定結果とするようにすればよい。ここで、上記単語辞書は、操作内容を示す操作情報と操作情報の読み（呼び名）を表す情報とによって構成される。例えば、図２に示す音声割当管理テーブルを上記単語辞書として用いればよい。図２に示す音声割当管理テーブルは、システム設計者が予め作成して音声認識部２内のＲＯＭ（読み出し専用メモリ）などに記憶させておいてもよく、また、ユーザが作成して音声認識部２内のフラッシュメモリなどに記憶させておいてもよい。
【００３４】
また、上述した実施形態においては単語音声認識の例を示したが、上記単語辞書に含まれる単語を音声データＤ１から探し出すワードスポッティング技術を用いてもよい。また、前述の単語辞書中の単語を含む単語辞書と、文法を表す情報（ネットワーク文法またはＮ−グラムなど）とを用いる連続音声認識技術を用いてもよい。
【００３５】
上述した音声認識部２の形態は例示にすぎず具体的な実現手段を限定するものではない。すなわち、音声認識部２は、音声データＤ１を分析して、音声データＤ１中に含まれる操作内容を示す操作情報Ｄ２を推定できるような構成であればよい。
【００３６】
また、音声認識部２が出力する操作情報Ｄ２のデータ形式は、操作内容を示すテキスト文字列（文字コードなど）であってもよく、操作内容と関連付けられたインデックス番号であってもよい。また、制御信号出力部４から出力される制御信号Ｄ３の内容を表すデータ形式であってもよい。ただし、音声認識部２が出力する操作情報Ｄ２のデータ形式は、キー割当管理部６が管理する操作情報Ｄ５と同形式のデータ形式、またはキー割当管理部６が管理する操作情報Ｄ５と同形式に変換可能なデータ形式であるものとする。
【００３７】
確認部３は、音声認識部２から出力される操作情報Ｄ２に応じた処理の実行可否について、ユーザに確認を要求する。ここで、ユーザに確認を要求するか否かについては、確認要否判定部７による判定結果に基づいて決定する。そして、確認部３は、ユーザの確認により操作情報Ｄ２に応じた処理の実行が認められなかった場合は制御信号出力部４に操作情報Ｄ２を出力せず、それ以外の場合は制御信号出力部４に操作情報Ｄ２を出力する。確認の方法は、例えば、音声認識部２から出力される操作情報Ｄ２に応じた処理の内容を音声によりユーザに提示し、ユーザはボタン押下（実行ボタンまたはキャンセルボタン）により処理の実行可否を指示するようにすればよい。この場合、確認部３は、音声認識部２から出力される操作情報Ｄ２に応じた処理の内容を音声によって出力する音声出力部と、実行ボタンと、キャンセルボタンとを備える構成となる。また、実行ボタン及びキャンセルボタンの代わりにタッチパネルを用い、当該タッチパネルに実行キーとキャンセルキーを表示してもよい。ここで、操作情報Ｄ２に応じた処理の内容を音声によりユーザに報知する場合、操作情報Ｄ２に応じた処理の内容を示す音声データを確認部３内のＲＯＭなどに予め記憶させておいてもよく、また音声合成技術を用いて合成音声により報知してもよい。
【００３８】
上述した確認部３の形態は例示にすぎず具体的な実現手段を限定するものではない。すなわち、確認部３は、ユーザに確認を要求するか否かについて確認要否判定部７による判定結果に基づいて決定し、ユーザに確認を要求することを決定した場合に音声認識部２から出力される操作情報Ｄ２に応じた処理の実行可否について、ユーザの指示を仰ぐような構成であればよい。
【００３９】
制御信号出力部４は、音声認識部２から出力される操作情報Ｄ２又はキー割当管理部６から出力される操作情報Ｄ５に応じた制御信号Ｄ３を出力する。ここで、制御信号Ｄ３は、遠隔操作の対象となる機器を制御するための信号であり、例えばテレビの電源入切、チャンネル選択、ビデオの再生などを行うために機器に対して送信する信号である。制御信号Ｄ３の実体は無線信号であることが好ましく、例えば、一般にテレビなどに付属しているリモコン送信器のように、制御信号コードをＰＰＭ（パルス位置変調）方式を用いて赤外線信号で送信すればよい。この場合、制御信号出力部４は赤外線ＬＥＤ（発光ダイオード）などを備える構成となる。また、操作情報Ｄ２又はＤ５に応じた制御信号Ｄ３については、制御信号出力部４内のメモリ（不図示）に格納される制御信号管理テーブル（不図示）などを用いて管理すればよい。例えば、図２に示す音声割当管理テーブルの各操作情報に対応する制御信号のうち、「電源」、「１ｃｈ」、「２ｃｈ」、…、「ファンクション（黄）」に関するものについては、従来の赤外線リモコン送信器の各操作キーに対応して出力される制御信号と同様の制御信号を割り当てればよい。また、例えば、図２に示す音声割当管理テーブルの各操作情報に対応する制御信号のうち、「ジャンル検索」、「ジャンル検索（音楽）」、「ジャンル検索（映画）」、…に関するものついては、直接対応する制御信号が存在する場合は各操作情報に直接対応させればよく、直接対応する制御信号が存在しない場合は所望の操作が得られるように複数の制御信号を順次出力するようにして対応させればよい。
【００４０】
上述した制御信号出力部４の形態は例示にすぎず具体的な実現手段を限定するものではない。すなわち、制御信号出力部４は、操作情報Ｄ２又はＤ５に応じて、遠隔操作の対象となる機器を制御可能な制御信号を出力する構成であればよい。
【００４１】
入力キー部５は、複数のキーを備えており、ユーザのキー操作に応じたキーデータＤ４を出力する。各キーには固有のキーＩＤが付与されている。
【００４２】
キー割当管理部６は、入力キー部５から出力されたキーデータＤ４に基づいて、ユーザのキー操作に対応する操作内容を示す操作情報Ｄ５を制御信号出力部４に出力する。また、キー割当管理部６は、キーデータＤ４と操作内容を示す操作情報Ｄ５との対応関係を管理し、キーデータＤ４と操作情報Ｄ５との対応関係の管理情報Ｄ６を確認要否判定部７に出力する。例えば、図３に示すキー割当管理テーブルのデータを管理情報Ｄ６として用いればよい。図３に示すキー割当管理テーブルは、システム設計者が予め作成してキー割当管理部６内のＲＯＭ（読み出し専用メモリ）などに記憶させておいてもよく、また、ユーザが作成してキー割当管理部６内のフラッシュメモリなどに記憶させておいてもよい。
【００４３】
また、キー割当管理部６が管理する操作情報Ｄ５のデータ形式は、操作内容を示すテキスト文字列（文字コードなど）であってもよく、操作内容と関連付けられたインデックス番号であってもよい。また、制御信号出力部４から出力される制御信号Ｄ３の内容を表すデータ形式であってもよい。ただし、キー割当管理部６が管理する操作情報Ｄ５のデータ形式は、音声認識部２から出力される操作情報Ｄ２と同形式のデータ形式、または音声認識部２から出力される操作情報Ｄ２と同形式に変換可能なデータ形式であるものとする。
【００４４】
確認要否判定部７は、キー割当管理部６から出力される管理情報Ｄ６を参照して、音声認識部２から出力される操作情報Ｄ２がキーデータＤ４と関連付けられているか否かなどに基づいて、確認部３における確認の要否を判定する。なお、確認要否判定部７における確認要否判定処理の詳細については後述する。
【００４５】
図１に示す本発明の第一実施形態に係る遠隔操作装置の音声認識部２、確認部３の制御部分、制御信号出力部４の制御部分、キー割当管理部６、及び確認要否判定部７は、例えば、専用のＬＳＩで構成することができる。また、図１に示す本発明の第一実施形態に係る遠隔操作装置の音声認識部２、確認部３の制御部分、制御信号出力部４の制御部分、キー割当管理部６、及び確認要否判定部７を、パーソナルコンピュータなどの一般的なコンピュータやマイクロプロセッサで実現してもよい。
【００４６】
図１に示す本発明の第一実施形態に係る遠隔操作装置の音声認識部２、確認部３の制御部分、制御信号出力部４の制御部分、キー割当管理部６、及び確認要否判定部７を、パーソナルコンピュータやマイクロコンピュータなどで実現する場合は、後述する遠隔操作処理をコンピュータに実行させるためのプログラムを用いてもよい。当該プログラムを用いる場合、当該プログラムは、ＣＤ−ＲＯＭ（Compact Disc - Read Only Memory）などの記録媒体に記録されて流通し、ＣＤ−ＲＯＭドライブなどによりコンピュータが備えるＲＡＭなどに読み込まれ、中央演算装置（ＣＰＵ）で実行される。なお、当該プログラムが記録される記録媒体は、ＣＤ−ＲＯＭの他に、例えばフレキシブルディスク、カセットテープ、ハードディスク、光ディスク（ＭＯ（Magnetic Optical Disc）、ＭＤ（Mini Disc）、ＤＶＤ（Digital Versatile Disc）など）、ＩＣカード（メモリカードを含む）、光カード、マスクＲＯＭ、ＥＰＲＯＭ、ＥＥＰＲＯＭ、フラッシュＲＯＭなどの半導体メモリなどの固定的にプログラムを記録する記録媒体でもよい。さらに、当該プログラムはインターネットなどのネットワークを介して他の装置からダウンロードされてもよい。
【００４７】
ここで、図１に示す本発明の第一実施形態に係る遠隔操作装置を専用装置で実現した場合の外観例を図４の正面図に示す。図４に示す遠隔装置は、マイク１０１と、入力キー部１０２と、スピーカー１０３と、赤外線ＬＥＤ１０４とを備えている。なお、図４では、入力キー部１０２の各キーにキーＩＤが表示されているが、キーＩＤの代わりに操作情報の内容などが表示されていてもよい。
【００４８】
マイク１０１は、音声操作時にユーザが音声データを入力する際に用いられるものであって、図１中の音声入力部１に該当する。なお、図４に示す遠隔操作装置では、音声の入力タイミングを制御するトークスイッチを設けていないが、発話の開始または終了をユーザが指示するためのトークスイッチを設けてもよい。トークスイッチは、押下式のボタンまたはタッチパネルなどで構成される。入力キー部１０２は、ユーザが所望の操作に対応するキー入力を行う際や確認部３でユーザからの指示を受け付ける際に用いられるものであって、図１中の入力キー部５に該当する。入力キー部１０２は、押下式のボタンまたはタッチパネルなどで構成される。スピーカー１０３は、操作情報Ｄ２に応じた処理の内容を音声によりユーザに報知する場合に用いられるものであって、図１中の確認部３の一部（音声出力部）に該当する。赤外線ＬＥＤ１０４は、制御信号Ｄ３を赤外線信号の形態で出力するためのものであって、図１中の制御信号出力部４の一部に該当する。
【００４９】
続いて、本発明の第一実施形態に係る遠隔操作装置において実行される遠隔操作処理の手順について図５に示すフローチャートを参照して説明する。
【００５０】
音声認識部２及びキー割当管理部６は遠隔操作装置に対する入力の有無を判定する（ステップＳ１０）。具体的には、音声認識部２は音声入力部１から出力される音声データＤ１の有無により音声入力の有無を判定し、キー割当管理部６は入力キー部５から出力されるキーデータＤ４の有無によりキー入力の有無を判定する。遠隔操作装置に対する入力があると判定された場合（ステップＳ１０のＹＥＳ）、ステップＳ２０に移行する。一方、遠隔操作装置に対する入力がないと判定された場合（ステップＳ１０のＮＯ）、ステップＳ１０で入力があるまで待機する。
【００５１】
ステップＳ２０において、音声認識部２及びキー割当管理部６は、遠隔操作装置に対する入力が音声入力であるか否かを判定する。遠隔操作装置に対する入力が音声入力である場合（ステップＳ２０のＹＥＳ）、ステップＳ４０に進む。一方、遠隔操作装置に対する入力が音声入力でなくキー入力である場合（ステップＳ２０のＮＯ）、ステップＳ３０に進む。
【００５２】
ステップＳ３０において、キー割当管理部６は、入力キー部５から出力されるキーデータＤ４に基づいて、ユーザのキー操作に対応する操作内容を示す操作情報Ｄ５を取得し、ステップＳ９０に移行する。
【００５３】
また、ステップＳ４０において、音声認識部２は、音声データＤ１を分析して、音声データＤ１中に含まれる操作内容を示す操作情報Ｄ２を推定する。すなわち、音声認識部２は、音声データＤ１に対して音声認識を行う。
【００５４】
続くステップＳ５０では、確認要否判定部７が、キー割当管理部６から出力される管理情報Ｄ６を参照して、音声認識部２から出力される操作情報Ｄ２がキーデータＤ４と関連付けられているか否かなどに基づいて、確認部３における確認の要否を判定する。確認要否判定処理の詳細については後述する。
【００５５】
続くステップＳ６０では、確認部３が、ステップＳ５０での判定結果に基づいて処理を分岐する。確認が必要である場合（ステップＳ６０のＹＥＳ）、ステップＳ７０に進む。一方、確認が不要である場合（ステップＳ６０のＮＯ）、ステップＳ９０に進む。
【００５６】
ステップＳ７０では、確認部３が、ステップＳ４０で推定した操作情報Ｄ２に応じた処理の実行可否について、ユーザに確認を要求し、ユーザからの指示を受け付ける。そして、ステップＳ８０では、確認部３が、ステップＳ７０で得られるユーザからの指示に基づいて処理を分岐する。ステップＳ４０で推定した操作情報Ｄ２に応じた処理の実行が許可された場合（ステップＳ８０のＹＥＳ）、ステップＳ９０に進む。一方、ステップＳ４０で推定した操作情報Ｄ２に応じた処理の実行が許可されなかった場合（ステップＳ８０のＮＯ）、フロー処理を終了する。
【００５７】
ステップＳ９０では、制御信号出力部４が、ステップＳ３０で取得した操作情報Ｄ５またはステップＳ４０で推定した操作情報Ｄ２に応じた制御信号Ｄ３を出力して、フロー処理を終了する。
【００５８】
ここで、図５中のステップＳ５０において実行される確認要否判定処理の手順の一例について図６のフローチャートを参照して説明する。
【００５９】
まず、確認要否判定部７が、図５中のステップＳ４０において音声認識部２が推定した操作情報Ｄ２を取得する（ステップＳ１１０）。続くステップＳ１２０では、確認要否判定部７が、キー割当管理部６から出力される管理情報Ｄ６（例えば図３に示すキー割当管理テーブルのデータ）を取得する。
【００６０】
続くステップＳ１３０では、確認要否判定部７が、ステップＳ１１０で取得した操作情報Ｄ２を、ステップＳ１２０で取得した管理情報Ｄ６に照会して、ステップＳ１１０で取得した操作情報Ｄ２に応じた処理が、キーデータＤ４と関連付けられている操作情報に該当するか否かを調べる。すなわち、ステップＳ１１０で取得した操作情報Ｄ２に応じた処理がステップＳ１２０で取得した管理情報Ｄ６の中のキーデータＤ４と関連付けられている操作情報に含まれている場合は、ステップＳ１１０で取得した操作情報Ｄ２がキーデータＤ４と関連付けられている操作情報に該当することになり、ステップＳ１１０で取得した操作情報Ｄ２に応じた処理がステップＳ１２０で取得した管理情報Ｄ６の中のキーデータＤ４と関連付けられている操作情報に含まれていない場合は、ステップＳ１１０で取得した操作情報Ｄ２がキーデータＤ４と関連付けられている操作情報に該当しないことになる。
【００６１】
続くステップＳ１４０では、確認要否判定部７が、ステップＳ１３０での調査結果に基づいて処理を分岐する。ステップＳ１１０で取得した操作情報Ｄ２がキーデータＤ４と関連付けられている操作情報に該当する場合（ステップＳ１４０のＹＥＳ）、ステップＳ１５０に進み、ステップＳ１１０で取得した操作情報Ｄ２がキーデータＤ４と関連付けられている操作情報に該当しない場合（ステップＳ１４０のＮＯ）、ステップＳ１６０に進む。
【００６２】
ステップＳ１５０では、確認要否判定部７が、確認不要設定を行い、確認要否判定処理を終了し、図５に示すフローチャートのステップＳ６０に進む。一方、ステップＳ１６０では、確認要否判定部７が、確認要設定を行い、確認要否判定処理を終了し、図５に示すフローチャートのステップＳ６０に進む。
【００６３】
なお、図３に示すキー割当管理テーブルの代わりに、例えば図７に示すキー割当管理テーブルを用いることもできる。図７に示すキー割当管理テーブルは、図３に示すキー割当管理テーブルに確認要否を示す列を追加した構成である。図７に示すキー割当管理テーブルを用いる場合、図６に示すフローチャートの処理手順に代えて図８に示すフローチャートの処理手順によって確認要否判定処理を行えばよい。
【００６４】
以下、図８に示すフローチャートの処理手順について説明する。なお、図８において図６と同一のステップには同一の符号を付し、詳細な説明を省略する。
【００６５】
ステップＳ１１０で取得した操作情報Ｄ２がキーデータＤ４と関連付けられている操作情報に該当する場合（ステップＳ１４０のＹＥＳ）、ステップＳ１４１に進む。
【００６６】
ステップＳ１４１では、確認要否判定部７が、ステップＳ１３０で照会する際に用いたキー割当管理テーブル（例えば図７に示すキー割当管理テーブル）を参照し、該当する操作情報の確認要否を示す情報を取得する。図７に示すキー割当管理テーブルのように、キーＩＤに応じて確認要否を予め設定しておくことにより、誤認識時に確認なく操作が行われると好ましくないようなキー（例えば電源入切など）について、処理実行可否をユーザに必ず確認するようにできる。
【００６７】
なお、本発明の第一実施形態に係る遠隔操作装置がステップＳ１４１の処理を実行する場合、遠隔操作装置のキーに関して、必ず確認が必要なキーと確認が不要なキーとで視覚的な違いを明確にすることが望ましい。例えば、必ず確認が必要なキーについて、確認が不要なキーから離れた配置にしてもよく、また、キー部分の色またはキー周囲の色に関して、必ず確認が必要なキーについて、確認が不要なキーと異なる配色にしてもよい。このように、必ず確認が必要なキーと確認が不要なキーとで視覚的な違いを明確にすることにより、ユーザが操作内容の重要性の違いについて容易に把握することが可能となるとともに音声操作時の確認有無の判定基準も明確となる。
【００６８】
ステップＳ１４２では、確認要否判定部７が、ステップＳ１４１での照会結果から得られる情報に基づいて処理を分岐する。ステップＳ１４１で処理実行可否確認不要との情報を得た場合、ステップＳ１５０に進み、ステップＳ１４１で処理実行可否確認必要との情報を得た場合、ステップＳ１６０に進む。
【００６９】
次に、本発明の第二実施形態について説明する。本発明の第二実施形態に係る遠隔操作装置の概略構成を図９に示す。なお、図９において図１と同一の部分には同一の符号を付し詳細な説明を省略する。図９に示す本発明の第二実施形態に係る遠隔操作装置は、図１に示す本発明の第一実施形態に係る遠隔操作装置の管理部３及びキー割当管理部６をそれぞれ管理部３’及びキー割当管理部６’に置換し、更に表示部８を新たに設けた構成である。
【００７０】
確認部３’は、図１に示す本発明の第一実施形態に係る遠隔操作装置が具備する確認部３とほぼ同一の処理を行うが、以下の点が異なる。確認部３’は、音声認識部２から出力される操作情報Ｄ２に応じた処理の実行可否について、表示部８を介してユーザに確認を要求する。すなわち、確認部３’は、音声認識部２から出力される操作情報Ｄ２を表示部８に表示させることによりユーザに提示する。
【００７１】
キー割当管理部６’は、図１に示す本発明の第一実施形態に係る遠隔操作装置が具備するキー割当部６とほぼ同一の処理を行うが、以下の点が異なる。キー割当管理部６’は、キーデータＤ４と操作情報Ｄ５との対応関係の管理情報Ｄ６を確認要否判定部７のみならず表示部８にも出力する。
【００７２】
表示部８は、確認部３’から送られる操作情報Ｄ２を入力し、その操作情報Ｄ２に基づいて処理を実行しようとしている操作内容を表示する。
【００７３】
また、表示部８は、キー割当管理部６’から送られるキーデータＤ４と操作情報Ｄ５との対応関係の管理情報Ｄ６を表示する。これにより、各キーに割り当てられた操作内容が変化するような、すなわち一つのキーが、複数の操作に割り当てられて、モード設定（テレビ、ビデオなど）によって適宜操作内容が変化するような、マルチリモコンを構成することが可能となる。
【００７４】
表示部８は、たとえば液晶ディスプレイ、有機ＥＬ（エレクトロルミネッセンス）ディスプレイなどで構成することができる。ただし、表示部８は、処理を実行しようとしている操作内容、または、各キーと操作内容との対応関係を表示するものであればよく、上述した例示は具体的な実現手段を限定するものでない。
【００７５】
図９に示す本発明の第二実施形態に係る遠隔操作装置の音声認識部２、確認部３’の制御部分、制御信号出力部４の制御部分、キー割当管理部６’、及び確認要否判定部７は、専用のＬＳＩ素子などで構成することができる。また、図９に示す本発明の第二実施形態に係る遠隔操作装置の音声認識部２、確認部３’の制御部分、制御信号出力部４の制御部分、キー割当管理部６’、及び確認要否判定部７を、パーソナルコンピュータなどの一般的なコンピュータやマイクロプロセッサで実現してもよい。
【００７６】
ここで、図９に示す本発明の第二実施形態に係る遠隔操作装置を専用装置で実現した場合の外観例を図１０の正面図に示す。図１０に示す遠隔装置は、マイク２０１と、入力キー部２０２と、液晶ディスプレイ２０３と、赤外線ＬＥＤ２０４とを備えている。なお、図１０では、入力キー部２０２の各キーにキーＩＤが表示されているが、キーＩＤの代わりに操作情報の内容などが表示されていてもよく、液晶ディスプレイ２０３の表示が図１３や図１４のようになる場合には何も表示されていなくてもよい。
【００７７】
マイク２０１は、音声操作時にユーザが音声データを入力する際に用いられるものであって、図９中の音声入力部１に該当する。なお、図１０に示す遠隔操作装置では、音声の入力タイミングを制御するトークスイッチを設けていないが、発話の開始または終了をユーザが指示するためのトークスイッチを設けてもよい。トークスイッチは、押下式のボタンまたはタッチパネルなどで構成される。入力キー部２０２は、ユーザが所望の操作に対応するキー入力を行う際や確認部３’でユーザからの指示を受け付ける際に用いられるものであって、図９中の入力キー部５に該当する。入力キー部２０２は、押下式のボタンまたはタッチパネルなどで構成される。液晶ディスプレイ２０３は、操作情報Ｄ２に基づいて処理を実行しようとしている操作内容及び管理情報Ｄ６の内容を表示するものであって、図９中の表示部８に該当する。赤外線ＬＥＤ２０４は、制御信号Ｄ３を赤外線信号の形態で出力するためのものであって、図９中の制御信号出力部４の一部に該当する。
【００７８】
本発明の第二実施形態に係る遠隔操作装置において実行される遠隔操作処理の手順は、本発明の第一実施形態に係る遠隔操作装置において実行される遠隔操作処理の手順とほぼ同一であるため、説明を省略する。なお、本発明の第二実施形態に係る遠隔操作装置において実行される遠隔操作処理においては、表示部８がキー割当管理部６’から送られるキーデータＤ４と操作情報Ｄ５との対応関係の管理情報Ｄ６の内容を表示するステップを、例えばフロー開始直後に設けられる。
【００７９】
図９に示す本発明の第二実施形態に係る遠隔操作装置をいわゆるマルチリモコンにする場合、例えば、図１１に示すキー割当管理テーブルのデータと図１２に示すキー割当管理テーブルのデータとを切り替えていずれか一方を有効とし、有効であるキー割当管理テーブルを管理情報Ｄ６として用いればよい。図１１に示すキー割当管理テーブルのデータと図１２に示すキー割当管理テーブルのデータとの切り替えは、ユーザ指示に基づくモード切替処理などによって行われるようにすればよい。図１１に示すキー割当管理テーブルは、キーＩＤにテレビの操作情報を割り当てたキー割当管理テーブルである。また、図１２に示すキー割当管理テーブルは、キーＩＤにビデオの操作情報を割り当てたキー割当管理テーブルである。
【００８０】
図１１に示すキー割当管理テーブルが有効な場合に表示部８が表示する管理情報Ｄ６の内容の表示例を図１３に示す。図１３の表示例では、入力キー部２０２に対する操作情報の割り当て状況がキー配置を模して表示されている。図１３では、入力キーに割り当てられる操作情報を表示用の表記で示しているが、この場合、入力キーに割り当てられる操作情報に対応する表記情報を別途管理していることは言うまでもない。
【００８１】
図１２に示すキー割当管理テーブルが有効な場合に表示部８が表示する管理情報Ｄ６の内容の表示例を図１４に示す。図１４の表示例では、入力キー部２０２に対する操作情報の割り当て状況がキー配置を模して表示されている。図１４では、入力キーに割り当てられる操作情報を表示用の表記で示しているが、この場合、入力キーに割り当てられる操作情報に対応する表記情報を別途管理していることは言うまでもない。
【００８２】
ここではテレビとビデオのマルチリモコンを構成する場合について例示したが、ユーザ指示またはシステム指令に基づいて、入力キーに割り当てられる操作情報が適宜切り替わる構成であればよく、具体的な実現手段を限定するものではない。したがって、テレビとビデオに限らず、ＤＶＤ、ハードディスクレコーダー、エアコン、音響ステレオコンポ、扇風機など、遠隔操作対象となり得る機器に関して、どのような組み合わせのマルチリモコンを構成してもよい。また、ここではモードに応じてキー割り当てがテレビまたはビデオのように一つの操作対象機器でまとまっている場合について例示したが、ある一つのモードにおいて、複数の異なる操作対象機器を操作可能なようにキー割り当てを行ってもよい。
【００８３】
図９に示す本発明の第二実施形態に係る遠隔操作装置をいわゆるマルチリモコンにする場合、例えば、図１５に示すテレビ操作並びにビデオ操作を割り当てた音声割当管理テーブルを用いるとよい。音声認識部２内のＲＯＭ（読み出し専用メモリ）やフラッシュメモリなどが図１５に示す音声割当管理テーブルを記憶することによって、音声操作時に、テレビとビデオ両機器の操作に関して、どちらの機器の操作についても入力が可能になる。
【００８４】
例えば、入力キーの割り当てに関して、図１１に示すキー割当管理テーブルで管理されている場合、入力キーによる操作対象機器は、テレビのみとなる。一方、図１５に示す音声割当管理テーブルを用いている場合、音声による操作対象機器は、前述の通り、テレビとビデオ両機器の操作を対象とする。この場合の動作例を概説すると、例えば、ユーザがキーＩＤ２０２Ｎの入力キーを入力（例えばボタン押下）することにより、テレビを２ｃｈに選局するための制御信号Ｄ３（例えば赤外線）が出力され、テレビが２ｃｈに選局される。また、例えば、ユーザが「テレビニチャンネル」と発声することにより、正しく音声認識された場合、テレビを２ｃｈに選局するための制御信号が出力され、テレビが２ｃｈに選局される。ここで、音声認識に失敗（誤認識）して「テレビイッチャンネル」と認識された場合、テレビを１ｃｈに選局するための制御信号Ｄ３が出力され、テレビが１ｃｈに選局される。この場合、ユーザの意図に反する操作結果となるが、キー入力の場合にもユーザによる入力間違い（例えばボタンの押し間違い）が生じることはあり、また一般に、ある一つのモードにおいては、各入力キーには関連する操作が割り当てられているため、キー入力間違いに相当する誤動作に対しては、ユーザが比較的容易に修正できる。一方、音声認識に失敗して「ビデオサイセイ」と認識された場合、ビデオ再生の操作を実行してもよいか否かについてユーザに確認要求する。ここで、ユーザが誤認識であると判断した場合、操作の実行を回避することができる。このように、遠隔操作装置のキー割り当てがテレビ操作を対象としている場合に、キー割り当てされていない機器（この場合はビデオ）を操作しようとする際、ユーザに確認の機会を与えることが可能となる。
【００８５】
なお、本発明の第二実施形態に係る遠隔操作装置の別の一例として、図１０に示す遠隔操作装置の入力キー部２０２をタッチパネルで構成し、入力キー部２０２と液晶ディスプレイ２０３とを共通化する構成としてもよい。この場合、モードによって切り替わる入力キーの操作内容を、入力キーの位置に直接対応させて表示することができるので、マルチリモコンとして構成する際に、ユーザが入力キーを入力することが容易になる。
【００８６】
前述した本発明に係る遠隔操作装置の例では、音声認識部２が記憶する音声割当管理テーブルと、キー割当管理部６が記憶するキー割当管理テーブルとを個別に扱う場合について説明したが、例えば図１６に示すキー音声割当管理テーブルのように、操作情報とキーＩＤと読み情報を一つのテーブルで管理し、そのテーブルを音声認識部２及びキー割当管理部５からなるブロックが記憶するようにしてもよい。
【００８７】
また、前述した本発明に係る遠隔操作装置の例では、確認要否判定部７は、キー割当管理部６よりキー割当管理テーブルのデータ（管理情報Ｄ６）を取得して操作情報Ｄ２を照会しているが、キー割当管理テーブルのデータを取得する代わりに、入力キーに割り当てられている操作情報のみを取得してもよい。
【００８８】
また、前述した本発明に係る遠隔操作装置の例では、音声認識部２で、最大スコア（類似度）を示す一つの単語（読み情報）に対応する操作情報のみを推定（認識）結果としているが、認識結果として複数の操作情報の候補（例えば、スコアの大きいものから５つ）を推定（認識）して、確認部３で、ユーザが複数の候補の中から選択、またはキャンセルすることにより実行可否を決定するように構成してもよい。この場合、音声認識部２で、複数の操作情報の候補を推定（認識）する際に、スコアを各候補間で比較して、最大スコアのみ突出している場合は１つの候補、上位２つのスコアが突出している場合は上位２つの候補を、操作情報の候補として扱うように構成してもよい。
【００８９】
また、前述した本発明に係る遠隔操作装置の例では、入力キー以外の入力データが音声データである場合について例示したが、入力キー以外の入力データが、音声以外のデータであってもよく、ユーザが操作情報を遠隔操作装置に伝達するためのデータであれば、具体的なデータ種別を限定するものではない。例えば、指紋、ゼスチャー、手書きシンボル（文字、図形または記号など）、表情、脳波、神経伝達信号などのいずれかを用いてもよく、この場合、音声入力部１に代えて、それぞれ、指紋入力部、ゼスチャー入力部、手書きシンボル入力部、表情入力部、脳波入力部、神経伝達信号入力部のいずれかを用い、音声認識部２に代えて、それぞれ、指紋認識部、ゼスチャー認識部、手書きシンボル認識部、表情認識部、脳波認識部、神経伝達信号認識部のいずれかを用いればよい。また、上述したような、入力データをパターンとして扱うことが可能であって、ユーザが同一の意図を持って発するパターンが統計的に類似しているデータの他に、次のようなデータであってもよい。例えば、遠隔操作対象機器または本発明の第二実施形態に係る遠隔操作装置が具備する表示部８などに操作内容に関連する情報を表示して操作内容に関連する情報をユーザに提示し、ユーザは視線、指差しなどのいずれかを用いて操作内容を選択する。上述のような構成における、指差し、視線などを表す情報を入力データとして扱ってもよく、この場合、音声入力部１及び音声認識部２から成るブロックに代えて、それぞれ、指差し認識部、視線認識部のいずれかを用いればよい。
【図面の簡単な説明】
【００９０】
【図１】は、本発明の第一実施形態に係る遠隔操作装置の概略構成を示す機能ブロック図である。
【図２】は、音声割当管理テーブルを示す図である。
【図３】は、キー割当管理テーブルの一例を示す図である。
【図４】は、本発明の第一実施形態に係る遠隔操作装置を専用装置で実現した場合の外観例を示す装置正面図である。
【図５】は、図１の遠隔操作装置において実行される遠隔操作処理の手順を示すフローチャートである。
【図６】は、確認要否判定処理の手順の一例を示すフローチャートである。
【図７】は、キー割当管理テーブルの他の例を示す図である。
【図８】は、確認要否判定処理の手順の他の例を示すフローチャートである。
【図９】は、本発明の第二実施形態に係る遠隔操作装置の概略構成を示す機能ブロック図である。
【図１０】は、本発明の第二実施形態に係る遠隔操作装置を専用装置で実現した場合の外観例を示す装置正面図である。
【図１１】は、キーＩＤにテレビの操作情報を割り当てたキー割当管理テーブルの一例を示す図である。
【図１２】は、キーＩＤにビデオの操作情報を割り当てたキー割当管理テーブルの一例を示す図である。
【図１３】は、図１１に示すキー割当管理テーブルが有効である場合の表示例を示す図である。
【図１４】は、図１２に示すキー割当管理テーブルが有効である場合の表示例を示す図である。
【図１５】は、テレビ操作並びにビデオ操作を割り当てた音声割当管理テーブルを示す図である。
【図１６】は、キー音声割当管理テーブルを示す図である。
【符号の説明】
【００９１】
１    音声入力部
２    音声認識部
３、３’    確認部
４    制御信号出力部
５    入力キー部
６、６’    キー割当管理部
７    確認要否判定部
８    表示装置
１０１    マイク
１０２    入力キー部
１０３    スピーカー
１０４    赤外線ＬＥＤ
２０１    マイク
２０２    入力キー部
２０３    液晶ディスプレイ
２０４    赤外線ＬＥＤ
【図１】
2006227135.tif 000003
【図２】
2006227135.tif 000004
【図３】
2006227135.tif 000005
【図４】
2006227135.tif 000006
【図５】
2006227135.tif 000007
【図６】
2006227135.tif 000008
【図７】
2006227135.tif 000009
【図８】
2006227135.tif 000010
【図９】
2006227135.tif 000011
【図１０】
2006227135.tif 000012
【図１１】
2006227135.tif 000013
【図１２】
2006227135.tif 000014
【図１３】
2006227135.tif 000015
【図１４】
2006227135.tif 000016
【図１５】
2006227135.tif 000017
【図１６】
2006227135.tif 000018